(57)【要約】【課題】空港等において、手荷物を検査装置に通して手荷物の検査を行う手荷物検査場において、効果的に広告を表示することを目的とする。【解決手段】広告表示装置は、手荷物をトレー２に入れる際に利用されるテーブル３にトレー２が置かれた場合に、トレー２に貼付されたタグ５であって、トレー２に表示された第１広告に対応するＩＤが記憶されたタグ５から、ＩＤを読み出す。広告表示装置は、読み出したＩＤに応じた第２広告を、テーブル３に設けられた表示装置６に表示する。【選択図】図１
2013218050.tif 000002
【特許請求の範囲】
【請求項１】
手荷物を検査装置に通して前記手荷物の検査を行う手荷物検査場において、広告を表示する広告表示装置であり、
手荷物をトレーに入れる際に利用される第１テーブルに前記トレーが置かれた場合に、前記トレーに貼付されたタグであって、前記トレーに表示された第１広告に対応するＩＤが記憶されたタグから、前記ＩＤを読み出すＩＤ読出部と、
前記ＩＤ読出部が読み出したＩＤに応じた第２広告を、前記第１テーブルに設けられた第１表示装置に表示する広告表示部と
を備えることを特徴とする広告表示装置。
【請求項２】
前記ＩＤ読出部は、前記手荷物が前記検査装置を通った後、前記トレーから前記手荷物を取り出すための第２テーブルに前記トレーが置かれた場合に、前記タグから前記ＩＤを読み出し、
前記広告表示部は、前記ＩＤに応じた第３広告であって、前記第１表示装置に表示させた第２広告とは異なる第３広告を、前記第２テーブルに設けられたに第２表示装置にすることを特徴とする請求項１に記載の広告表示装置。
【請求項３】
前記ＩＤ読出部は、前記検査装置の内部を前記トレーが通過する場合に、前記タグから前記ＩＤを読み出し、
前記広告表示部は、前記ＩＤに応じた第４広告を、前記検査装置の近傍に設けられた第３表示装置に表示する
ことを特徴とする請求項１又は２に記載の広告表示装置。
【請求項４】
前記第１テーブルには、複数のトレーを同時に置くことが可能であり、
前記ＩＤ読出部は、前記第１テーブルに置かれた各トレーに貼付されたタグから前記ＩＤを読み出し、
前記広告表示部は、前記ＩＤ読出部が読み出した各前記ＩＤに応じた広告を前記第１表示装置に表示する。
ことを特徴とする請求項１又は２に記載の広告表示装置。
【請求項５】
前記広告表示部は、前記第１表示装置の表示領域を複数に小表示領域に分割して、前記各ＩＤに応じた広告を各小表示領域に表示する
ことを特徴とする請求項４に記載の広告表示装置。
【請求項６】
前記広告表示部は、前記各ＩＤに応じた広告を順次切り替えて表示する
ことを特徴とする請求項４に記載の広告表示装置。
【請求項７】
前記ＩＤには、優先度が割り当てられており、
前記広告表示部は、優先度が高いＩＤに応じた広告を表示する
ことを特徴とする請求項４に記載の広告表示装置。
【請求項８】
手荷物を検査装置に通して前記手荷物の検査を行う手荷物検査場において、広告を表示する広告表示プログラムであり、
手荷物をトレーに入れる際に利用される第１テーブルに前記トレーが置かれた場合に、前記トレーに貼付されたタグであって、前記トレーに表示された第１広告に対応するＩＤが記憶されたタグから、前記ＩＤを読み出すＩＤ読出処理と、
前記ＩＤ読出処理で読み出したＩＤに応じた第２広告を、前記第１テーブルに設けられた第１表示装置に表示する広告表示処理と
を備えることを特徴とする広告表示プログラム。
【発明の詳細な説明】
【技術分野】
【０００１】
この発明は、手荷物を検査装置に通して手荷物の検査を行う手荷物検査場において、広告を表示する広告表示装置に関する。
【背景技術】
【０００２】
空港等では、旅客の手荷物をＸ線検査装置に通して、手荷物に持ち込みが禁止されている物が含まれていないか検査する。手荷物には、携帯電話や腕時計等の細かい物が多い。そのため、細かい手荷物は、まとめてトレーに入れられ、トレーに入れられた状態でＸ線検査装置に通される。そして、Ｘ線検査装置を出た手荷物は、トレーから取り出される。
手荷物検査場は、旅客が必ず通る場所である。また、手荷物の検査には時間がかかるため、Ｘ線検査装置の手前には検査待ちの人の列ができる場合が多い。検査待ちの人は時間を持て余していることが一般的である。そのため、手荷物検査場で旅客の目を引く広告を表示すれば、効果が期待できる。
【０００３】
特許文献１には、レストランで飲食物を乗せるためのトレーマットに、二次元コードを印刷しておくことについて記載されている。特許文献１では、携帯電話機等で二次元コードを読み取らせ、二次元コードが示すウェブサイトに接続させ、ウェブサイトの広告を見せるとしている。
【先行技術文献】
【特許文献】
【０００４】
【特許文献１】特開２００６−７２９４２号公報
【発明の概要】
【発明が解決しようとする課題】
【０００５】
特許文献１に記載されたように、携帯電話機等で二次元コードを読み取らせ、ウェブサイトに接続させる方法では、利用者が二次元コードに強い興味を持たない限り、ウェブサイトに接続しない。そのため、ウェブサイトの広告が見られる可能性は低く、あまり効果は期待できない。
この発明は、空港等の手荷物検査場において、効果的に広告を表示することを目的とする。
【課題を解決するための手段】
【０００６】
この発明に係る広告表示装置は、
手荷物を検査装置に通して前記手荷物の検査を行う手荷物検査場において、広告を表示する広告表示装置であり、
手荷物をトレーに入れる際に利用される第１テーブルに前記トレーが置かれた場合に、前記トレーに貼付されたタグであって、前記トレーに表示された第１広告に対応するＩＤが記憶されたタグから、前記ＩＤを読み出すＩＤ読出部と、
前記ＩＤ読出部が読み出したＩＤに応じた第２広告を、前記第１テーブルに設けられた第１表示装置に表示する広告表示部と
を備えることを特徴とする。
【０００７】
前記ＩＤ読出部は、前記手荷物が前記検査装置を通った後、前記トレーから前記手荷物を取り出すための第２テーブルに前記トレーが置かれた場合に、前記タグから前記ＩＤを読み出し、
前記広告表示部は、前記ＩＤに応じた第３広告であって、前記第１表示装置に表示させた第２広告とは異なる第３広告を、前記第２テーブルに設けられたに第２表示装置にすることを特徴とする。
【０００８】
前記ＩＤ読出部は、前記検査装置の内部を前記トレーが通過する場合に、前記タグから前記ＩＤを読み出し、
前記広告表示部は、前記ＩＤに応じた第４広告を、前記検査装置の近傍に設けられた第３表示装置に表示する
ことを特徴とする。
【０００９】
前記第１テーブルには、複数のトレーを同時に置くことが可能であり、
前記ＩＤ読出部は、前記第１テーブルに置かれた各トレーに貼付されたタグから前記ＩＤを読み出し、
前記広告表示部は、前記ＩＤ読出部が読み出した各前記ＩＤに応じた広告を前記第１表示装置に表示する。
ことを特徴とする。
【００１０】
前記広告表示部は、前記第１表示装置の表示領域を複数に小表示領域に分割して、前記各ＩＤに応じた広告を各小表示領域に表示する
ことを特徴とする。
【００１１】
前記広告表示部は、前記各ＩＤに応じた広告を順次切り替えて表示する
ことを特徴とする。
【００１２】
前記ＩＤには、優先度が割り当てられており、
前記広告表示部は、優先度が高いＩＤに応じた広告を表示する
ことを特徴とする。
【００１３】
この発明に係る広告表示プログラムは、
手荷物を検査装置に通して前記手荷物の検査を行う手荷物検査場において、広告を表示する広告表示プログラムであり、
手荷物をトレーに入れる際に利用される第１テーブルに前記トレーが置かれた場合に、前記トレーに貼付されたタグであって、前記トレーに表示された第１広告に対応するＩＤが記憶されたタグから、前記ＩＤを読み出すＩＤ読出処理と、
前記ＩＤ読出処理で読み出したＩＤに応じた第２広告を、前記第１テーブルに設けられた第１表示装置に表示する広告表示処理と
を備えることを特徴とする。
【発明の効果】
【００１４】
この発明に係る広告表示装置では、トレーに入れられた第１広告に応じて、テーブルの表示装置に第２広告を表示する。そのため、旅客が意識しなくても、旅客に広告を見せることができる。特に、例えば、第１広告により旅客に興味を持たせ、第２広告で詳細な情報を与えることにより、広告を効果的に見せることができる。
【図面の簡単な説明】
【００１５】
【図１】実施の形態１に係る空港の手荷物検査場の説明図。
【図２】実施の形態１に係る各広告の関係の説明図。
【図３】実施の形態１に係る広告表示装置１０の構成図。
【図４】実施の形態１に係る広告表示装置１０の処理を示すフローチャート。
【図５】実施の形態２に係る空港の手荷物検査場の説明図。
【図６】図４のＳ１２における処理を示すフローチャート。
【図７】図４のＳ１２における処理を示すフローチャート。
【図８】広告表示装置１０のハードウェア構成の一例を示す図。
【発明を実施するための形態】
【００１６】
実施の形態１．
図１は、実施の形態１に係る空港の手荷物検査場の説明図である。
手荷物検査場には、Ｘ線検査装置１が設けられる。Ｘ線検査装置１の手前には、細かな手荷物を乗せるためのトレー２が積まれている。また、Ｘ線検査装置１の手前には、トレー２に手荷物を乗せる際に利用されるテーブル３（第１テーブル）が設けられている。Ｘ線検査装置１の後ろには、トレー２に乗せた手荷物を取り出す際に利用されるテーブル４（第２テーブル）が設けられている。
旅客は、手荷物の検査を受ける際、トレー２を１つ取り出し、取り出したトレー２をテーブル３に置く。旅客は、テーブル３に置いたトレー２に手荷物を入れ、手荷物を入れたトレー２をＸ線検査装置１に乗せる。すると、ベルトコンベアーにより、トレー２がＸ線検査装置１内に運ばれ、手荷物に持ち込みが禁止されている物が含まれていないか検査される。検査された後、トレー２がＸ線検査装置１の後ろのテーブル４に排出される。旅客は、テーブル４に排出されたトレー２から手荷物を取り出し、手荷物検査場から立ち去る。
【００１７】
ここで、トレー２の表面には、広告（以下、第１広告）が表示されている。また、トレー２には、表示された広告に対応したＩＤ（ＩＤｅｎｔｉｆｉｅｒ）が記憶されたタグ５（ＲＦＩＤタグ，Ｒａｄｉｏ  Ｆｒｅｑｕｅｎｃｙ  Ｉｄｅｎｔｉｆｉｃａｔｉｏｎタグ）が貼付されている。テーブル３には、表示装置６（第１表示装置）が設けられており、テーブル４には、表示装置７（第２表示装置）が設けられている。また、テーブル３，４にはそれぞれ、タグ５からＩＤを読み出す読取装置８，９が設けられている。
旅客が、トレー２をテーブル３に置くと、テーブル３に設けられた読取装置８によりトレー２に貼付されたタグ５からＩＤが読み出される。そして、読み出されたＩＤに応じた広告（以下、第２広告）が、テーブル３に設けられた表示装置６に表示される。
検査された後、トレー２がＸ線検査装置１の後ろのテーブル４に排出されると、テーブル４に設けられた読取装置９によりトレー２に貼付されたタグ５からＩＤが読み出される。そして、読み出されたＩＤに応じた広告（以下、第３広告）が、テーブル４に設けられた表示装置７に表示される。
なお、テーブル３には、複数の表示装置６が設けられており、各表示装置６に対応して読取装置８が設けられている。読取装置８で読み出されたＩＤに応じた第２広告が、対応する表示装置６に表示される。同様に、テーブル４には、複数の表示装置７が設けられており、各表示装置７に対応して読取装置９が設けられている。読取装置９で読み出されたＩＤに応じた第３広告が、対応する表示装置７に表示される。ここで、各読取装置８，９は、対応する表示装置６，７の前の所定の範囲に置かれたトレー２のタグ５からＩＤを読み出す。つまり、各読取装置８，９は、隣の表示装置６，７の前に置かれたトレー２のタグ５からはＩＤを読み出さない。
【００１８】
図２は、実施の形態１に係る各広告の関係の説明図である。
タグ５に記憶されたＩＤは第１広告に対応しており、第２広告と第３広告とはＩＤに応じたものである。そのため、ＩＤにより、第１広告と第２広告と第３広告とをそれぞれ関連付けることができる。
ここで、旅客は、第１広告、第２広告、第３広告の順に広告を見ることになる。そこで、例えば、第１広告で旅客の興味を惹き、第２広告で旅客へ疑問を投げかけ、第３広告で疑問に対する答えを示すように、第１広告、第２広告、第３広告の順にストーリを持たせる。これにより、旅客を広告に注目させることができ、効果を高めることができる。
【００１９】
図３は、実施の形態１に係る広告表示装置１０の構成図である。
広告表示装置１０は、表示装置６，７及び読取装置８，９とネットワークを介して接続されている。広告表示装置１０は、読取装置８，９によりタグ５からＩＤを読み出し、表示装置６，７に第２広告、第３広告を表示させる。広告表示装置１０は、読出部１１、広告表示部１２、広告記憶部１３を備える。
読出部１１は、読取装置８，９により、タグ５からＩＤを読み出す。
広告表示部１２は、読出部１１が読取装置８により読み出したＩＤに応じて、広告記憶部１３から第２広告を取得して、表示装置６に表示する。また、広告表示部１２は、読出部１１が読取装置９により読み出したＩＤに応じて、広告記憶部１３から第３広告を取得して、表示装置７に表示する。
広告記憶部１３は、ＩＤ毎に、第２広告と第３広告とを記憶した記憶装置である。
【００２０】
図４は、実施の形態１に係る広告表示装置１０の処理を示すフローチャートである。
（Ｓ１１：第１読出処理）
読出部１１は、トレー２がテーブル３に置かれると、テーブル３に設けられた読取装置８によりトレー２に貼付されたタグ５からＩＤを読み出す。
（Ｓ１２：第２広告表示処理）
広告表示部１２は、Ｓ１１で読み出されたＩＤに基づき、広告記憶部１３から第２広告を取得する。そして、広告表示部１２は、取得した第２広告をテーブル３に設けられた表示装置６に表示する。
（Ｓ１３：第２読出処理）
読出部１１は、検査された後、トレー２がＸ線検査装置１の後ろのテーブル４に排出されると、テーブル４に設けられた読取装置９によりトレー２に貼付されたタグ５からＩＤを読み出す。
（Ｓ１４：第３広告表示処理）
広告表示部１２は、Ｓ１３で読み出されたＩＤに基づき、広告記憶部１３から第３広告を取得する。そして、広告表示部１２は、取得した第３広告をテーブル４に設けられた表示装置７に表示する。
【００２１】
以上のように、実施の形態１に係る広告表示装置１０は、手荷物検査場において、トレー２に表示された第１広告に関連した第２広告を、トレー２に手荷物を乗せる際に利用されるテーブル３に設けられた表示装置６に表示する。
手荷物検査場を通過する旅客の多くはトレー２を利用する。トレー２を利用すれば、トレー２に表示された第１広告が目に入る可能性が高い。したがって、多くの旅客に第１広告を見せることができる。
そして、トレー２をテーブル３に置くと、第１広告に関連した第２広告が表示装置６に表示される。第１広告を見た旅客は、仮に意識していなくても、第１広告を少なからず記憶している。そのため、第１広告に関連した第２広告が表示され旅客の目に入ると、単に第２広告だけを見た場合よりも強い印象を旅客に与えることができる。
【００２２】
さらに、実施の形態１に係る広告表示装置１０は、第２広告に関連した第３広告を、トレー２に乗せた手荷物を取り出す際に利用されるテーブル４に設けられた表示装置７に表示する。
旅客は、第１広告及び第２広告について記憶した状態で、第１広告及び第２広告に関連する第３広告が目に入る。そのため、旅客に第３広告について強い印象を与えることができる。
【００２３】
つまり、実施の形態１に係る広告表示装置１０は、旅客に効果的に広告を見せることができる。その結果、効果が期待できる。
【００２４】
なお、上記説明では、トレー２に第１広告が表示されているとした。トレー２に第１広告が表示されているとは、例えば、トレー２に第１広告が記載された紙等を貼付したり、挟みこんだりしてもよいし、トレー２に薄型の表示装置を取り付けておき、表示装置に第１広告を表示してもよい。つまり、トレー２を取った旅客が、機器の操作等することなく、第１広告を目にするようにされていればよい。
【００２５】
また、広告表示部１２は、Ｓ１１の処理でトレー２がテーブル３に置かれたことを検知せずタグ５からＩＤが読み出されていない間は、予め定められた情報を表示装置６，７に表示する。予め定められた情報としては、例えば、持ち込みできない手荷物等の情報や、所定の広告等である。
【００２６】
また、広告表示部１２は、Ｓ１２、Ｓ１４の処理で、ＩＤに加えて、さらに関連情報（時刻、天候、混雑度等）に応じた広告を表示装置６，７に表示してもよい。この場合、広告記憶部１３は、ＩＤと関連情報とに対応して、第２広告及び第３広告を記憶し、広告表示部１２は、広告記憶部１３からＩＤと関連情報とに対応する第２広告または第３広告を取得するようにする。あるいは、ＩＤ及び関連情報と、第２広告及び第３広告との対応付けを記憶した対応記憶部（図示せず）を、広告記憶部１３とは別に設け、広告表示部１２は、対応記憶部を参照し、ＩＤ及び関連情報に対応する第２広告または第３広告を取得するようにしてもよい。
例えば、ＩＤが“００１”で関連情報の一例である時刻が午前であれば、広告００１Ａを表示し、ＩＤが“００１”で時刻が午後であれば、広告００１Ｂを表示する。また、例えば、ＩＤが“００２”で関連情報の一例である天候が晴れであれば、広告００２Ａを表示し、ＩＤが“００２”で天候が雨であれば、広告００２Ｂを表示する。また、例えば、ＩＤが“００３”で関連情報の一例である混雑度が混雑していないことを示すなら、広告００３Ａを表示し、ＩＤが“００３”で混雑度が混雑していることを示すなら、広告００３Ｂを表示する。
なお、広告００１Ａ、００１Ｂ、・・・、００３Ｂは、広告記憶部１３に記憶されている第２広告及び第３広告のいずれかを示す。
【００２７】
また、広告表示部１２は、ＩＤ毎に、広告の表示回数をカウントしてもよい。カウントした回数は、広告の効果の目安や、広告料の算出元として利用することができる。
【００２８】
また、一部のトレー２には、当たりタグ５を貼付しておいてもよい。読出部１１が当たりタグ５からＩＤを読み出した場合、広告表示部１２は、表示装置６，７にプレゼント引き換え用のウェブサイトを示す二次元コードを表示させるとしてもよい。この場合、例えば、トレー２に表示される第１広告に、当たりの場合にはプレゼントがあるので、表示装置６，７をよく確認する旨のメッセージを含めておいてもよい。
これにより、旅客が表示装置６，７を見る可能性が高くなり、広告の効果を高くすることができる。
【００２９】
また、広告表示部１２は、第３広告とともに、あるいは、第３広告に代えて、トレー２をトレー２の置き場に戻すように促すメッセージを表示装置７に表示してもよい。
トレー２をテーブル４に置いたままにされてしまうことが多く、空港の職員等がトレー２の回収作業をしなければならない。トレー２を戻すことを促すことで、回収作業の負荷が軽減される。
【００３０】
また、広告表示装置１０は、タグ５にＩＤを書き込む書込機能（書込部）を備えていてもよい。広告表示装置１０は、第１広告を変更する場合に、この機能によりタグ５のＩＤを変更後の第１広告に変更する。もちろん、広告表示装置１０以外の装置により、タグ５のＩＤを変更してもよい。
また、タグ５は、ＲＦＩＤタグに限らず、ＩＤを記憶でき、読取装置８，９によりＩＤを読み取れるものであればよい。
【００３１】
実施の形態２．
実施の形態２では、テーブル３，４だけでなく、Ｘ線検査装置１にも表示装置２１を設ける場合について説明する。
【００３２】
図５は、実施の形態２に係る空港の手荷物検査場の説明図である。
Ｘ線検査装置１の外側には、表示装置２１（第３表示装置）が設けられており、Ｘ線検査装置１の内側には、読取装置２２が設けられている。
ベルトコンベアーにより、手荷物を乗せたトレー２がＸ線検査装置１に運ばれ、トレー２がＸ線検査装置１の内部を通過すると、読取装置２２によりトレー２に貼付されたタグ５からＩＤが読み出される。そして、読み出されたＩＤに応じた広告（以下、第４広告）が、Ｘ線検査装置１の外側に設けられた表示装置２１に表示される。
【００３３】
第４広告は、第２広告を見た後、第３広告を見る前に見られる。そのため、この点を考慮した内容にすることが望ましい。もちろん、第４広告は、第２広告又は第３広告と同じにしてもよい。
【００３４】
旅客は、Ｘ線検査装置１で手荷物が検査されている間に、Ｘ線検査装置１の横に置かれたゲートをくぐり、旅客が身につけている物の検査を受けることが一般的である。そのため、Ｘ線検査装置１の外側に第１広告や第２広告と関連する第４広告を表示すれば、旅客に強い印象を与えることができる。
【００３５】
なお、Ｘ線検査装置１の外側だけでなく、前記ゲートに表示装置を設け、その表示装置に第４広告を表示してもよい。
【００３６】
また、表示装置２１及び読取装置２２は、Ｘ線検査装置１と一体型ではなく別体であってもよい。そして、表示装置２１及び読取装置２２は、Ｘ線検査装置１の近傍または隣接して設置されてもよい。このようにすることで、既存のＸ線検査装置１を利用し表示装置２１及び読取装置２２を新設することで、ゲート付近にいる旅客に第４広告を提供することができる。
【００３７】
実施の形態３．
実施の形態３では、表示装置６，７への広告の表示方法について説明する。
ここでは、表示装置６への広告の表示方法を例として説明するが、表示装置７への広告の表示方法も表示装置６と同様である。
【００３８】
実施の形態１で説明したように、テーブル３には、複数の表示装置６が設けられており、各表示装置６に対応して読取装置８が設けられている。基本的には、各読取装置８で読み出されたＩＤに応じた第２広告が、対応する表示装置６に表示される。
【００３９】
しかし、手荷物検査場が混み合っている場合等には、１つの読取装置８の読取範囲内に２つ以上のトレー２が置かれる場合がある。
この場合、図４のＳ１１で、読出部１１は、１つの読取装置８により２つ以上のトレー２からＩＤを読み出す。そして、図４のＳ１２で、広告表示部１２は、対応する表示装置６の表示領域を複数の小表示領域に分割して、読み出された各ＩＤに応じた広告を各小表示領域に表示する。あるいは、図４のＳ１２で、広告表示部１２は、各ＩＤに応じた広告を順次切り替えながら対応する表示装置６に表示する。
【００４０】
図６は、手荷物検査場が混み合っている場合等における図４のＳ１２における処理を示すフローチャートである。図６に示す処理は、読取装置８毎に実行される。
（Ｓ２１：判定処理）
広告表示部１２は、図４のＳ１１で、所定の時間内（例えば１秒以内）に、対象とする読取装置８により、２つ以上のトレー２から２種類以上のＩＤが読み出されたか否かを判定する。複数のトレー２から複数のＩＤを読み取ったとしてもＩＤの種別が同じであれば、広告表示部１２は、読み出されたＩＤは１種類であると判定する。
２種類以上ＩＤが読み出された場合（Ｓ２１でＹＥＳ）、処理をＳ２２へ進める。一方、１種類のＩＤが読み出された場合（Ｓ２１でＮＯ）、処理をＳ２３へ進める。
（Ｓ２２：分割表示処理）
広告表示部１２は、読み出された各ＩＤに応じた第２広告を広告記憶部１３から取得する。そして、広告表示部１２は、対象とする読取装置８に対応する表示装置６の表示領域を読み出したＩＤの数の小表示領域に分割し、取得した各第２広告を各小表示領域に表示する、あるいは、各第２広告を順次切り替えながら対応する表示装置６に表示する。
例えば、２つのトレー２から２種類のＩＤを読み出したとする。小表示領域に分割して表示する場合、表示領域を２つの小表示領域に分割して、各ＩＤに応じた第２広告をそれぞれの小表示領域に表示する。また、順次切り替えながら表示する場合、２種類のＩＤに対応する第２広告を順次切り替えて表示する。
（Ｓ２３：通常表示処理）
広告表示部１２は、読み出されたＩＤに対応する第２広告を表示装置６に表示する。
【００４１】
なお、各ＩＤに、優先度を持たせてもよい。例えば、優先度“高”と、優先度“低”とのいずれかを各ＩＤに持たせてもよい。
この場合、Ｓ２２で、広告表示部１２は、優先度“高”のＩＤに応じた広告のみ小表示領域に表示させるとしてもよい。優先度“高”のＩＤが１つだけであれば、小表示領域に分割することなく、表示装置６の表示領域全体に、優先度“高”のＩＤに応じた広告を表示してもよい。あるいは、優先度“高”と優先度“低”の小表示領域の比率を変更して、優先度“高”の小表示領域を優先度“低”の小表示領域より大きく分割してもよい。
また、Ｓ２２で、広告表示部１２は、優先度“高”のＩＤに応じた広告のみ、順次切り替えながら表示してもよい。あるいは、優先度“高”と優先度“低”の表示時間の比率を変更して、優先度“高”の表示時間を優先度“低”の表示時間より長くしてもよい。
【００４２】
一方、手荷物検査場が空いている場合等には、テーブル３に１つだけトレー２が置かれる場合がある。
この場合、図４のＳ１１で、読出部１１は、読取装置８全体として１つのトレー２からのみＩＤを読み出す。そして、図４のＳ１２で、広告表示部１２は、対応する表示装置６だけでなく、全ての表示装置６に、読み出されたＩＤに応じた第２広告を表示する。あるいは、全ての表示装置６を１つの大型の（横長の）表示装置とみなして、読み出されたＩＤに応じた第２広告を表示する。
【００４３】
図７は、手荷物検査場が空いている場合等における図４のＳ１２における処理を示すフローチャートである。図７に示す処理は、テーブル３全体に対して実行される。
（Ｓ３１：判定処理）
広告表示部１２は、読取装置８全体として１つのトレー２からのみＩＤが読み出されたか否かを判定する。
１つのトレー２からのみＩＤが読み出された場合（Ｓ３１でＹＥＳ）、処理をＳ３２へ進める。一方、２つ以上のトレー２からＩＤが読み出された場合（Ｓ３１でＮＯ）、処理をＳ３３へ進める。複数のトレー２から複数のＩＤを読み取ったとしてもＩＤの種別が同じであれば、広告表示部１２は、読み出されたＩＤは１種類であると判定し、処理をＳ３２に進める。  （Ｓ３２：単一表示処理）
広告表示部１２は、対応する表示装置６だけでなく、全ての表示装置６に、読み出されたＩＤに応じた同じ第２広告を表示する、あるいは、全ての表示装置６を１つの大型の表示装置とみなして、読み出されたＩＤに応じた第２広告を拡大する等して表示する。
（Ｓ３３：通常表示処理）
広告表示部１２は、対応する表示装置６に、読み出されたＩＤに応じた第２広告を表示する。
【００４４】
なお、上記説明では、読取装置８全体として１つのＩＤを読み出した場合に、全ての表示装置６を使って読み出されたＩＤに応じた第２広告を表示した。しかし、一部の読取装置８がＩＤを読み出していない場合に、その読取装置８に対応する表示装置６に、他の読取装置８が読みだしたＩＤに応じた第２広告を表示してもよい。
例えば図１のように、読取装置８及び対応する表示装置６が３つ存在するとする。この場合に、一定期間内に３つの読取装置８のうち、２つの読取装置８がそれぞれ異なる１つのＩＤを読みだしたとする。つまり、１つの読取装置８はＩＤを読み出していないとする。この場合、広告表示部１２は、ＩＤを読み出していない読取装置８（ここでは、読取装置８ａとする）に隣接する読取装置８（ここでは、読取装置８ｂとする）が読み出したＩＤに応じた第２広告を、読取装置８ｂに対応する表示装置６（ここでは、表示装置６ｂとする）だけでなく、読取装置８ａに対応する表示装置６（ここでは、表示装置６ａとする）にも表示してもよい。あるいは、広告表示部１２は、表示装置６ａと表示装置６ｂとを１つの大型の表示装置とみなして、読取装置８ｂが読み出したＩＤに対応する第２広告を表示してもよい。
ここで、ＩＤを読み出さなかった読取装置８が、中央の読取装置８である場合は、右隣又は左隣の読取装置８のどちらが読み出したＩＤに応じた広告を、中央の表示装置６に表示するかを予め設定しておけばよい。
【００４５】
また、読取装置８全体として複数種類のＩＤを読み出した場合に、その種類の数が表示装置６の総数より少ない場合は、広告表示部１２は全ての表示装置６を使って読み出されたＩＤに応じた第２広告を順次切り替えながら表示してもよい。
【００４６】
以上のように、実施の形態３に係る広告表示装置１０は、混雑時や閑散時に広告を効果的に表示することができる。
【００４７】
なお、広告表示装置１０は、図６に示す処理と、図７に示す処理との両方を実行してもよい。つまり、読取装置８毎に図６に示す処理を実行するとともに、テーブル３全体として図７に示す処理を実行してもよい。あるいは、時間帯またはＸ線検査装置１の設置場所に応じて、図６に示す処理と、図７に示す処理を切り替えて実行してもよい。
【００４８】
また、ＩＤの中に、対応する第２広告、第３広告を有さないものが混在してもよい。例えば、広告提供者と広告表示装置の管理者間の契約で、第１広告のみ、第１広告と第２広告のみ、第１広告と第２広告と第３広告の全て等、表示する広告のパターン分けをしてもよい。
この場合、図４のＳ１２、Ｓ１４、図６のＳ２２、Ｓ２３、図７のＳ３２、Ｓ３３の処理で、広告表示部１２が読み出したＩＤに基づき広告記憶部１３を参照した結果、該当の広告が記憶されていないときがある。この場合、表示装置６，７に予め定められた情報や広告を表示する。また、読み出したＩＤに該当の広告が記憶されていないときは、ＩＤが読み出されていないとみなし、Ｓ３２の処理のように、他の読取装置８で読み出したＩＤに応じた第２広告を表示してもよい。
【００４９】
上記実施の形態では、空港の手荷物検査場を例として説明した。しかし、これに限らず、例えば、列車等の他の乗物の手荷物検査場や、映画館、公共機関等の手荷物検査場等、他の手荷物検査場においても同様に実施可能である。
【００５０】
また、上記説明では、表示装置６，７毎に読取装置８，９を設けていた。しかし、複数の表示装置６に対して１つの読取装置８を設け、同様に複数の表示装置７に対して１つの読取装置９を設けるようにしてもよい。例えば、テーブル３に１つの読取装置８、テーブル４に１つの読取装置９を設けるようにしてもよい。
この場合、テーブル３，４のどの位置に置かれたトレー２のタグ５からＩＤを読み出したかを特定し、特定した位置に応じた表示装置６，７に広告を表示する必要がある。この位置の特定方法は、既存の技術を用いればよい。
【００５１】
図８は、広告表示装置１０のハードウェア構成の一例を示す図である。
図８に示すように、広告表示装置１０は、プログラムを実行するＣＰＵ９１１（Ｃｅｎｔｒａｌ・Ｐｒｏｃｅｓｓｉｎｇ・Ｕｎｉｔ、中央処理装置、処理装置、演算装置、マイクロプロセッサ、マイクロコンピュータ、プロセッサともいう）を備えている。ＣＰＵ９１１は、バス９１２を介してＲＯＭ９１３、ＲＡＭ９１４、ＬＣＤ９０１（Ｌｉｑｕｉｄ
Ｃｒｙｓｔａｌ  Ｄｉｓｐｌａｙ）、キーボード９０２（Ｋ／Ｂ）、通信ボード９１５、磁気ディスク装置９２０と接続され、これらのハードウェアデバイスを制御する。磁気ディスク装置９２０（固定ディスク装置）の代わりに、光ディスク装置、メモリカード読み書き装置などの記憶装置でもよい。磁気ディスク装置９２０は、所定の固定ディスクインタフェースを介して接続される。
【００５２】
磁気ディスク装置９２０又はＲＯＭ９１３などには、オペレーティングシステム９２１（ＯＳ）、ウィンドウシステム９２２、プログラム群９２３、ファイル群９２４が記憶されている。プログラム群９２３のプログラムは、ＣＰＵ９１１、オペレーティングシステム９２１、ウィンドウシステム９２２により実行される。
【００５３】
プログラム群９２３には、上記の説明において「読出部１１」、「広告表示部１２」等として説明した機能を実行するソフトウェアやプログラムやその他のプログラムが記憶されている。プログラムは、ＣＰＵ９１１により読み出され実行される。
ファイル群９２４には、上記の説明において「広告記憶部１３」に格納される情報やデータや信号値や変数値やパラメータが、「データベース」の各項目として記憶される。「データベース」は、ディスクやメモリなどの記録媒体に記憶される。ディスクやメモリなどの記憶媒体に記憶された情報やデータや信号値や変数値やパラメータは、読み書き回路を介してＣＰＵ９１１によりメインメモリやキャッシュメモリに読み出され、抽出・検索・参照・比較・演算・計算・処理・出力・印刷・表示などのＣＰＵ９１１の動作に用いられる。抽出・検索・参照・比較・演算・計算・処理・出力・印刷・表示のＣＰＵ９１１の動作の間、情報やデータや信号値や変数値やパラメータは、メインメモリやキャッシュメモリやバッファメモリに一時的に記憶される。
【００５４】
また、上記の説明におけるフローチャートの矢印の部分は主としてデータや信号の入出力を示し、データや信号値は、ＲＡＭ９１４のメモリ、その他光ディスク等の記録媒体やＩＣチップに記録される。また、データや信号は、バス９１２や信号線やケーブルその他の伝送媒体や電波によりオンライン伝送される。
また、上記の説明において「〜部」として説明するものは、「〜回路」、「〜装置」、「〜機器」、「〜手段」、「〜機能」であってもよく、また、「〜ステップ」、「〜手順」、「〜処理」であってもよい。また、「〜装置」として説明するものは、「〜回路」、「〜機器」、「〜手段」、「〜機能」であってもよく、また、「〜ステップ」、「〜手順」、「〜処理」であってもよい。すなわち、「〜部」として説明するものは、ＲＯＭ９１３に記憶されたファームウェアで実現されていても構わない。或いは、ソフトウェアのみ、或いは、素子・デバイス・基板・配線などのハードウェアのみ、或いは、ソフトウェアとハードウェアとの組合せ、さらには、ファームウェアとの組合せで実施されても構わない。ファームウェアとソフトウェアは、プログラムとして、ＲＯＭ９１３等の記録媒体に記憶される。プログラムはＣＰＵ９１１により読み出され、ＣＰＵ９１１により実行される。すなわち、プログラムは、上記で述べた「〜部」としてコンピュータ等を機能させるものである。あるいは、上記で述べた「〜部」の手順や方法をコンピュータ等に実行させるものである。
【符号の説明】
【００５５】
１  Ｘ線検査装置、２  トレー、３，４  テーブル、５  タグ、６，７，２１  表示装置、８，９，２２  読取装置、１０  広告表示装置、１１  読出部、１２  広告表示部、１３  広告記憶部。
【図１】
2013218050.tif 000003
【図２】
2013218050.tif 000004
【図３】
2013218050.tif 000005
【図４】
2013218050.tif 000006
【図５】
2013218050.tif 000007
【図６】
2013218050.tif 000008
【図７】
2013218050.tif 000009
【図８】
2013218050.tif 000010